(57)【要約】      （修正有）【課題】テーブル同士を並設することで、テーブルシステム全体で円弧形状を成す形態などのバリエーションに富む形態を形成することが出来るテーブルシステムを提供する。【解決手段】テーブルを複数並設して全体で所定の形態を採りうるテーブルシステムであって、天板１２の左右側辺の一方に長寸辺１３を、他方に長寸辺１３より短寸の短寸辺１４を成しており、長寸辺１３を延長した仮想の延長線Ｘと、短寸辺１４を延長した仮想の延長線Ｙとが、略同じ長さで交わる交点Ｐを有するとともに、交点Ｐにおいてｎ度（ｎは３６０度を６〜１８までの間の偶数で除算した値）の内角を形成している第１のテーブル１０と、第１のテーブルの天板２０と面対称となる天板２２を有する第２のテーブル２０と、から構成されている。【選択図】図２
2008109961.tif 000002
【特許請求の範囲】
【請求項１】
平面形状が矩形でない天板を有するテーブルからなり、該テーブルを複数並設して全体で所定の形態を採りうるテーブルシステムであって、
天板の左右側辺の一方に長寸辺を、他方に前記長寸辺より短寸の短寸辺を成しており、前記長寸辺を延長した仮想の延長線と、前記短寸辺を延長した仮想の延長線とが、略同じ長さで交わる交点を有するとともに、該交点においてｎ度（ｎは３６０度を６〜１８までの間の偶数で除算した値）の内角を形成している第１のテーブルと、
該第１のテーブルの天板と面対称となる天板を有する第２のテーブルと、から構成されていることを特徴とするテーブルシステム。
【請求項２】
前記天板の外側辺は、前記長寸辺に連続して略直交に延びる第１の外直線部と、前記短寸辺に連続して略直交に延びる第２の外直線部とを少なくとも有していることを特徴とする請求項１に記載のテーブルシステム。
【請求項３】
前記天板の外側辺は、前記第１の外直線部と、該第１の外直線部に連続する前記第２の外直線部のみを有していることを特徴とする請求項２に記載のテーブルシステム。
【請求項４】
前記天板の内側辺は、前記長寸辺に連続して略直交に延びる第１の内直線部と、前記短寸辺に連続して略直交に延びる第２の内直線部とを少なくとも有していることを特徴とする請求項１ないし３のいずれかに記載のテーブルシステム。
【請求項５】
前記天板の内側辺は、前記仮想の延長線の交点を中心点とする円弧状部を少なくとも有していることを特徴とする請求項１ないし４のいずれかに記載のテーブルシステム。
【発明の詳細な説明】
【技術分野】
【０００１】
本発明は、平面形状が矩形でない天板を有するテーブルからなり、このテーブルを複数並設して全体で所定の形態を採りうるテーブルシステムに関する。
【背景技術】
【０００２】
従来のテーブルシステムは、複数並設されて全体として所定の特徴ある形態を採りうるように、矩形以外の形状を成す天板として、左右両側辺の寸法が等しく、且つ互いに４５度を成して形成されたテーブルから構成されている（例えば、特許文献１参照）。
【０００３】
また、他の従来のテーブルシステムとして、略円形の天板を有したコアテーブルと、このコアテーブルを中心として、円弧状の曲線からなる側辺を有する天板を備えた複数のサイドテーブルを周囲に配置しているものもある（例えば、特許文献２参照）。
【０００４】
【特許文献１】実開昭５９−２３３３８号公報（第１頁、第３図）
【特許文献２】特開２００３−２４１５５号公報（第２頁、第１４図）
【発明の開示】
【発明が解決しようとする課題】
【０００５】
しかしながら、特許文献１にあっては、テーブルシステムを構成するテーブルのみを複数並設する場合、左右両側辺の寸法が等しいため、全体として限定された形態しか採ることが出来なかった。従って、例えば、テーブルシステム全体で円弧形状を成す形態を採る場合には、テーブルシステムを構成するテーブルの左右両側辺と等しい寸法の側辺の通常天板を有する通常テーブルを準備して、これらを併せて適宜配置する必要があった。
【０００６】
また、特許文献２にあっては、天板の側辺が円弧形状の曲線からなるため、このような天板を備えたテーブル同士を並設すると、側辺の全辺に亘って当接させることができず、例えば、側辺の略中央部同士を当接させた場合、端部においては側辺と側辺とが互いに離間し空隙が形成されてしまうため、使い勝手に難があるばかりか、上記した円弧形状を成す形態などのバリエーションが有る所望の形態を形成出来なかった。
【０００７】
本発明は、このような問題点に着目してなされたもので、テーブル同士を並設することで、テーブルシステム全体で円弧形状を成す形態などのバリエーションに富む形態を形成することが出来るテーブルシステムを提供することを目的とする。
【課題を解決するための手段】
【０００８】
上記課題を解決するために、本発明の請求項１に記載のテーブルシステムは、
平面形状が矩形でない天板を有するテーブルからなり、該テーブルを複数並設して全体で所定の形態を採りうるテーブルシステムであって、
天板の左右側辺の一方に長寸辺を、他方に前記長寸辺より短寸の短寸辺を成しており、前記長寸辺を延長した仮想の延長線と、前記短寸辺を延長した仮想の延長線とが、略同じ長さで交わる交点を有するとともに、該交点においてｎ度（ｎは３６０度を６〜１８までの間の偶数で除算した値）の内角を形成している第１のテーブルと、
該第１のテーブルの天板と面対称となる天板を有する第２のテーブルと、から構成されていることを特徴としている。
この特徴によれば、第１のテーブルと第２のテーブルの長寸辺同士若しくは短寸辺同士を当接させて並設することで、テーブルシステム全体で略２０〜６０度単位の円弧形状を成す形態が、面対称の天板を有する第１のテーブルと第２のテーブルとにより容易に形成出来る。また、上記した円弧形状を成す形態を所定に組合わせることで、例えば、略円形状、Ｓ字カーブ形状などバリエーションに富む形態を形成することが出来る。
【０００９】
本発明の請求項２に記載のテーブルシステムは、請求項１に記載のテーブルシステムであって、
前記天板の外側辺は、前記長寸辺に連続して略直交に延びる第１の外直線部と、前記短寸辺に連続して略直交に延びる第２の外直線部とを少なくとも有していることを特徴としている。
この特徴によれば、第１のテーブルと第２のテーブルの長寸辺同士若しくは短寸辺同士を当接させて並設することで、第１の外直線部同士若しくは第２の外直線部同士が略直線状に形成され、テーブルシステム全体で略直線形状を成す形態が、面対称の第１のテーブルと第２のテーブルとにより容易に形成出来る。
【００１０】
本発明の請求項３に記載のテーブルシステムは、請求項２に記載のテーブルシステムであって、
前記天板の外側辺は、前記第１の外直線部と、該第１の外直線部に連続する前記第２の外直線部のみを有していることを特徴としている。
この特徴によれば、天板の外側辺が、第１の外直線部と第２の外直線部のみを有しているため、例えば、第１の外直線部若しくは第２の外直線部を壁面に沿って当接させてテーブルを配置したり、または第１の外直線部同士、第２の外直線部同士を当接させて並設することで、更にバリエーションに富む複合的な形態を形成することが出来る。
【００１１】
本発明の請求項４に記載のテーブルシステムは、請求項１ないし３のいずれかに記載のテーブルシステムであって、
前記天板の内側辺は、前記長寸辺に連続して略直交に延びる第１の内直線部と、前記短寸辺に連続して略直交に延びる第２の内直線部とを少なくとも有していることを特徴としている。
この特徴によれば、第１のテーブルと第２のテーブルの長寸辺同士若しくは短寸辺同士を当接させて並設することで、第１の内直線部同士若しくは第２の内直線部同士が略直線形状に形成され、テーブルシステム全体で略直線形状を成す形態が、面対称の第１のテーブルと第２のテーブルとにより容易に形成出来る。
【００１２】
本発明の請求項５に記載のテーブルシステムは、請求項１ないし４のいずれかに記載のテーブルシステムであって、
前記天板の内側辺は、前記仮想の延長線の交点を中心点とする円弧状部を少なくとも有していることを特徴としている。
この特徴によれば、第１のテーブルと第２のテーブルの長寸辺同士若しくは短寸辺同士を交互に当接させて並設することで、内側辺同士が、仮想の延長線の交点を中心点とする略２０〜６０度単位の略円弧形状に形成されるため見栄えがよい。また、例えば、テーブルを１２台並設すれば、内側辺を３６０度の全周に亘る略全円形状に形成することも出来る。
【発明を実施するための最良の形態】
【００１３】
本発明の実施例を以下に説明する。
【実施例１】
【００１４】
本発明の実施例１を図面に基づいて説明すると、先ず図１は、本発明の実施例１におけるテーブルシステムを構成する第１のテーブルを示す全体像を示す斜視図である。図２（ａ）は、第１のテーブルの天板を示す上視図、（ｂ）は第２のテーブルの天板を示す上視図である。図３は、円弧形状のテーブルシステムである。図４は、Ｓ字形状のテーブルシステムである。図５は、複合的形状のテーブルシステムである。図６は、直線形状のテーブルシステムである。図６は、波形状のテーブルシステムである。
【００１５】
図１に示されるように、本実施例のテーブルシステムを構成する第１のテーブル１０は、後述する矩形でない形状の天板１２と脚部４とから構成され、脚部４（本実施例では４本）は、天板１２の各周辺の縁端部２、３、７、８の背面側に接続されている。縁端部７、８に接続された脚部４は、パイプ材質などから成る脚本体５と、その脚本体５の下端に取付けられテーブル１０が床面に載置された際に床面との滑動防止する為の軟質材質から成るアジャスタ６と、から構成される。
【００１６】
同様に、縁端部２、３の背面側に接続された脚部４は、脚本体５と、その脚本体５の下端に取付けられたプラスチック材質などからなるキャスタ１と、から構成されており、このキャスタ１を利用して、縁端部７、８側を持ち上げてテーブル１０を所望の場所へ床面上を移送出来るように成っている。
【００１７】
本実施例の第１のテーブル１０の４本の脚部４は上記構成であるが、本実施例の構成に限られず、４本の脚部４全てが、脚本体５とアジャスタ６とから成る構成や、あるいは４本の脚部４全てが、脚本体５とキャスタ１とから成る構成でもよい。また、脚部は上記構成に加えて、例えば、上下伸縮する機能を有していてもよい。更に、脚部の本数は本実施例の４本に限られず、例えば、３本であってもよいし、５本以上であってもよい。
【００１８】
次に、図２（ａ）に示されるように、第１のテーブル１０における天板１２の形状について、天板１２の内側辺１９を下方に配置して以下に説明すると、先ず、天板１２は、長方形状などの矩形状ではなく、後述する側辺（長寸辺１３、短寸辺１４、外側辺１１及び内側辺１９）からなる上面視非対称の形状である。ここで、矩形とは、正方形及び長方形のことをいう。図示左側の側辺には長寸辺１３、右側の側辺には長寸辺１３より短寸の短寸辺１４を成している。そして、長寸辺１３を延長した仮想の延長線Ｘと、短寸辺１４を延長した仮想の延長線Ｙとが、略同じ長さで交わる交点Ｐを有するとともに、交点Ｐにおいて略３０度の内角を形成している。また天板１２の外側の辺（図示上側）を形成する外側辺１１には、長寸辺１３に連続して略直交に延びる第１の外直線部１５と、短寸辺１４に連続して略直交に延び、且つ第１の外直線部１５と連続する第２の外直線部１６とを有している。天板の内側の辺（図では下側）を形成する内側辺１９には、長寸辺１３に連続して略直交に延びる第１の内直線部１７と、短寸辺１４に連続して略直交に延びる第２の内直線部１８と、第１の内直線部１７と第２の内直線部１８との間に形成される円弧状部と、を有している。
【００１９】
尚、図２（ａ）の点線囲い部に示されるように、上述した第１のテーブル１０の各辺（長寸辺１３、短寸辺１４、外側辺１１及び内側辺１９）の縁端部２、３、７、８は、角が丸められた曲線部で形成されている。そして各辺は、この丸められた曲線部により、滑らかに隣り合った辺に移行している。上記した略直交に延びるとは、隣り合った各側辺を仮想に直線状に延ばした場合に、この仮想の直線同士が略直交していることをいう。
【００２０】
次に、図２（ｂ）に示されるように、上記した第１のテーブル１０と同様に本実施例のテーブルシステムを構成する第２のテーブル２０について説明すると、第２のテーブル２０の天板２２は、上記した第１のテーブル１０の天板１２と面対称に構成されている。即ち、第２のテーブル２０における天板２２の形状について、天板２２の内側辺２９を下方に配置して以下に説明すると、図示右側の側辺には長寸辺２３、左側の側辺には長寸辺２３より短寸の短寸辺２４を成しており、図示しないが長寸辺２３を延長した仮想の延長線と、短寸辺２４を延長した仮想の延長線とが、略同じ長さで交わる交点を有するとともに、交点において略３０度の内角を形成されている。また天板２２の外側辺２１には、長寸辺２３に連続して略直交に延びる第１の外直線部２５と、短寸辺２４に連続して略直交に延び、且つ第１の外直線部２５と連続する第２の外直線部２６と、第１の内直線部１７と第２の内直線部１８との間に形成される円弧状部と、を有している。天板２２の内側辺２９には、長寸辺２３に連続して直交に延びる第１の内直線部２７と、短寸辺２４に連続して略直交に延びる第２の内直線部２８を有している。なお図示しないが、第２のテーブル２０の脚部は、第１のテーブル１０と同様の構成である。
【００２１】
上記に示した構造を有する第１のテーブル１０と第２のテーブル２０とを、以下のように複数並設することにより、全体で所定の形態を採りうるテーブルシステムが構成される。
【００２２】
具体的には、図３に示されるように、第１のテーブル１０と第２のテーブル２０との互いの長寸辺１３、２３同士、若しくは短寸辺１４、２４同士を当接させて並設することで、略３０度単位の円弧形状を成す形態であるテーブルシステム５１を形成することができる。また、例えば、図４に示されるように、第１のテーブル１０の外側辺１１と、別の第１のテーブル１０の内側辺１９とが、直線状に連続するように、第１のテーブル１０と別の第１のテーブル１０とを適宜前後して当接させて並設することで（図示中央）、全体でＳ字カーブ形状のテーブルシステム５２を形成することもできる。上記のように、第１のテーブル１０と第２のテーブル２０とを組合わせて並設することで、バリエーションに富む形態を容易に形成することが出来る。
【００２３】
尚、本実施例の第１のテーブル１０（第２のテーブル２０）は、通常は、使用者が内側辺１９（内側辺２９）側を手前側として使用するが、テーブルシステム全体の形態によっては、使用者（図４左側参照）が、外側辺１１（外側辺２１）側を手前側として使用する場合もある。
【００２４】
また、第１のテーブル１０（第２のテーブル２０）の長寸辺１３（長寸辺２３）に連続して略直交に延びる第１の外直線部１５（第１の外直線部２５）と、短寸辺１４（短寸辺２４）に連続して略直交に延びる第２の外直線部１６（第２の外直線部２６）を有している為、例えば、図５に示されるように、第１のテーブル１０における第２の外直線部と、第２のテーブル２０における第２の外直線部２６とを当接させて並設したりすることで、複合的形状を採るテーブルシステム５３を形成したりすることが出来る。
【００２５】
特に、長寸辺１３（長寸辺２３）と短寸辺１４（短寸辺２４）との長さの比率は、第１の外直線部１５（第１の外直線部２５）と第２の外直線部１６（第２の外直線部２６）とが互いに交わる範囲の比率とされていることで、外側辺に少なくとも２以上の直線部を形成することができるため、バリエーションに富む形態を容易に形成することが出来る。
【００２６】
同様に、特に図示はしないが、第１の外直線部同士を当接させて並設したり、第１の外直線部若しくは第２の外直線部を壁面に沿って当接させてテーブルを配置したりすることで、複合的形状を採るテーブルシステムを形成することが出来る。
【００２７】
更に、長寸辺１３（長寸辺２３）に連続して略直交に延びる第１の内直線部１７（内直線部２７）と、短寸辺１４（短寸辺２４）に連続して略直交に延びる第２の内直線部１８（第２の内直線部２８）とを有している為、図６（ａ）に示されるように、第１のテーブル１０の長寸辺１３と第２のテーブル２０の長寸辺２３、若しくは短寸辺１４と短寸辺２４とを当接させて並設することで、第１のテーブル１０における第２の内直線部１８と、第２のテーブル２０における第２の内直線部２８とが略直線形状に形成され、同様に、第２の外直線部１６と、第２の外直線部２６とが略直線形状に形成されたテーブルシステム５４を形成できる。
【００２８】
また、図６（ｂ）に示されるように、第１のテーブル１０における第１の内直線部１７と、第２のテーブル２０における第１の内直線部２７とが略直線状に形成され、波形状を成すテーブルシステム５５を形成することが出来る。
【００２９】
このように面対称の第１のテーブル１０と第２のテーブル２０とにより、図３ないし図６に示されたようなバリエーションに富むテーブルシステムが容易に形成出来る。また第１のテーブル１０の天板１２と第２のテーブル２０の天板２２とは、面対称のため成型し易い。
【００３０】
また、第１のテーブル１０の長寸辺１３と第２のテーブル２０の長寸辺２３とを、若しくは短寸辺１４と短寸辺２４とを交互に当接して並設することで、内側辺１９及び内側辺２９の円弧状部同士が、上記した仮想の延長線上の交点を中心点とする略３０度単位の略円弧形状に形成されるため見栄えがよい。この場合、特に図示はしないがテーブルを周方向に１２台並設すれば、内側辺１９、内側辺２９により３６０度の全周に亘る略全円形状にしたテーブルシステムを形成することができる。
【実施例２】
【００３１】
次に、実施例２を図面に基づいて説明すると、図７（ａ）は、本発明の第２実施例における第１のテーブルの天板を示す上視図、（ｂ）は第２のテーブルの天板を示す上視図である。図８は、全円形状のテーブルシステムである。なお、上記実施形態と同一構成で重複する構成を省略する。
【００３２】
実施例２におけるテーブルシステムを構成するテーブルの形状は、実施例１におけるテーブルの形状と構造上ほぼ同様の形状であるが、天板の内側辺のみ異なっている。
【００３３】
図７（ａ）に示されるように、第１のテーブル３０の天板３２の形状は、天板３２の左側には長寸辺３３、右側に短寸辺３４を成しており、長寸辺３３を延長した仮想の延長線Ｘ’と、短寸辺３４を延長した仮想の延長線Ｙ’とが、略同じ長さで交わる交点Ｐ’を有するとともに、交点Ｐ’において略３０度の内角を形成されている。また天板３２の外側辺３１には第１の外直線部３５と第２の外直線部３６とを有しており、天板３２の内側辺３９は、上記した交点Ｐ’を中心点とする円弧状部のみにより形成されている。
【００３４】
同様に、図７（ｂ）に示されるように、第２のテーブル４０の天板４２は、第１のテーブル３０の天板３２と面対称に構成され、天板４２の右側には長寸辺４３、左側に長寸辺４３より短寸の短寸辺４４を成しており、図示しないが、長寸辺４３を延長した仮想の延長線と、短寸辺４４を延長した仮想の延長線とが、略同じ長さで交わる交点を有するとともに、交点において略３０度の内角を形成している。また天板４２の外側辺４１には長寸辺４３に連続して略直交に延びる第１の外直線部４５と、短寸辺４４に連続して略直交に延び、且つ第１の外直線部４５と連続する第２の外直線部４６を有している。天板４２の内側辺４９は、上記した図示しない仮想の交点を中心点とする略円弧形状に形成されている。
【００３５】
次に、上記構成を有するテーブルシステムの機能を説明すると、第１のテーブル３０の長寸辺３３と第２のテーブル４０の長寸辺４３とを、若しくは短寸辺３４と短寸辺４４とを交互に当接させて並設することで、内側辺３９、内側辺４９同士が、上記した仮想の延長線上の交点を中心点とする略３０度単位の略円弧形状に形成されるため見栄えがよい。特に、図８に示されるようにテーブルを周方向に１２台並設すれば、内側辺３９、内側辺４９により３６０度の全周に亘る略全円形状にしたテーブルシステム５６を形成することも出来る。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、テーブルは、上記した左右側辺である長寸辺の延長線と短寸辺の延長線とが、略同じ長さで交わる交点を有し、この交点においてｎ度（ｎは３６０度を６〜１８までの間の偶数で除算した値）の内角を有していれば、外側辺若しくは内側辺の形状については、必ずしも上記実施例に限らない。例えば，テーブルの変形例として、特に図示しないが、テーブルの外側辺が、上記した第１の外直線部と第２の外直線部に加え、これらの間に連続する所定の直線部若しくは曲線部が形成されていてもよい。また、前記直線部若しくは曲線部は、複数形成されてもよい。
【００３８】
また同様に、テーブルの内側辺が、上記した第１の内直線部と第２の内直線部に加え、これらの間に連続する所定の直線部若しくは曲線部が形成されていてもよい。また、前記直線部若しくは曲線部は、複数形成されてもよい。
【００３９】
このようにすることで、複数のテーブルの長寸辺同士若しくは短寸辺同士を当接させて並設することで、所定の直線部若しくは曲線部に形成された外側辺、内側辺が、テーブルシステム全体で、美感をともなう所定の形態を採ることができる。
【００４０】
また、前記実施例１における交点Ｐの内角及び実施例２における交点Ｐ’の内角を略３０度としていたが、本発明はこれに限定されるものではなく、長寸辺を延長した仮想の延長線と短寸辺を延長した仮想の延長線とが略同じ長さで交わる交点の内角は、３６０度を６〜１８までの間の偶数で除算することにより算出される角度（６０度、４５度、３６度、３０度、２５．７度、２２．５度、２０度のうちいずれか）であれば、第１のテーブル及び第２のテーブルを使用して周方向に並設することができるため、前記３０度に限定されるものではなく、種々に変更可能である。本発明のテーブルシステムは、第１のテーブルと第２のテーブルとを一対に使用するものであり、その構成単位が２台のため、上記した交点の内角は、偶数で除算することにより算出する角度である必要がある。また、上記した交点の内角は、３６０度を６を下回る偶数で除算して算出すれば、その角度が大きく成りすぎ、長寸辺と短寸辺とが互いにハ字状に大きく傾斜するため、相対位置のバランスが好ましくない。逆に、上記した交点の内角は、３６０度を１８を上回る偶数で除算すれば、その角度が小さく成りすぎ、長寸辺と短寸辺とが互いに平行に近づくため、円形状若しくは所望の円弧状のテーブルシステムを構成するために要するテーブルの台数が多くなり好ましくない。
【図面の簡単な説明】
【００４１】
【図１】本発明の実施例１におけるテーブルシステムを構成する第１のテーブルを示す全体像を示す斜視図である。
【図２】（ａ）は、第１のテーブルの天板を示す上視図、（ｂ）は第２のテーブルの天板を示す上視図である。
【図３】円弧形状のテーブルシステムである。
【図４】Ｓ字形状のテーブルシステムである。
【図５】複合的形状のテーブルシステムである。
【図６】（ａ）は、直線形状のテーブルシステムであり、（ｂ）は、波形状のテーブルシステムである。
【図７】（ａ）は、本発明の実施例２における第１のテーブルの天板を示す上視図、（ｂ）は第２のテーブルの天板を示す上視図である。
【図８】全円形状のテーブルシステムである。
【符号の説明】
【００４２】
４                脚部
１０              第１のテーブル
１１              外側辺
１２              天板
１３              長寸辺
１４              短寸辺
１５              第１の外直線部
１６              第２の外直線部
１７              第１の内直線部
１８              第２の内直線部
１９              内側辺
２０              第２のテーブル
２１              外側辺
２２              天板
２３              長寸辺
２４              短寸辺
２９              内側辺
３０              第１のテーブル
３９              内側辺
４０              第２のテーブル
４９              内側辺
５１              テーブルシステム（円弧形状）
５２              テーブルシステム（Ｓ字形状）
５３              テーブルシステム（複合的形状）
５４              テーブルシステム（直線形状）
５５              テーブルシステム（波形状）
５６              テーブルシステム（全円形状）
【図１】
2008109961.tif 000003
【図２】
2008109961.tif 000004
【図３】
2008109961.tif 000005
【図４】
2008109961.tif 000006
【図５】
2008109961.tif 000007
【図６】
2008109961.tif 000008
【図７】
2008109961.tif 000009
【図８】
2008109961.tif 000010